(57)【要約】【課題】入浴者に対し、快適な入浴を提供し得る浴室暖房乾燥機を提供する。【解決手段】脱衣室温度センサーで検知した温度をＴｄ、浴室内温度センサーで検知した温度をＴｂ、正の定数である所定値をα、目標温度ＴｇをＴｇ＝Ｔｄ＋α、定数である第１所定温度をＴ１、定数である第２所定温度をＴ２（ただしＴ１＜Ｔ２）、浴室内湿度センサーで検知した浴室相対湿度をＨｂ、定数である第１所定湿度をＨ１、定数である第２所定湿度をＨ２とすると、制御部２１は、「Ｔｇ＜Ｔ１」の場合は、「Ｈ１≦Ｈｂ」且つ「Ｔｂ＝Ｔ１」となるように加熱部８および加湿部１０を制御し、「Ｔ１≦Ｔｇ＜Ｔ２」の場合は、「Ｈ２≦Ｈｂ」且つ「Ｔｂ＝Ｔｇ」となるように加熱部８および加湿部１０を制御し、「Ｔ２≦Ｔｇ」の場合は、「Ｔｂ＝Ｔｇ」となるように加熱部８を制御する。【選択図】図２
2019138596.tif 000002
【特許請求の範囲】
【請求項１】
浴室からの空気を吸い込む吸込口と、前記浴室へ空気を吹き出す吹出口と、前記吸込口から吸い込んだ空気を温める加熱部と、前記浴室の空気を循環する循環ファン装置と、前記加熱部で温められた温風を加湿する加湿部と、を有する本体を備えた浴室暖房乾燥機であって、
前記浴室内の温度を検知する浴室内温度センサーと、
前記浴室内の湿度を検知する浴室内湿度センサーと、
脱衣室の温度を検知する脱衣室温度センサーと、
前記循環ファン装置、前記加熱部、および前記加湿部を制御する制御部と、を備え、
前記脱衣室温度センサーで検知した温度をＴｄ、前記浴室内温度センサーで検知した温度をＴｂ、正の定数である所定値をα、目標温度ＴｇをＴｇ＝Ｔｄ＋α、定数である第１所定温度をＴ１、定数である第２所定温度をＴ２（ただしＴ１＜Ｔ２）、前記浴室内湿度センサーで検知した浴室相対湿度をＨｂ、定数である第１所定湿度をＨ１、定数である第２所定湿度をＨ２とすると、
前記制御部は、
「Ｔｇ＜Ｔ１」の場合は、「Ｈ１≦Ｈｂ」且つ「Ｔｂ＝Ｔ１」となるように前記加熱部および前記加湿部を制御し、
「Ｔ１≦Ｔｇ＜Ｔ２」の場合は、「Ｈ２≦Ｈｂ」且つ「Ｔｂ＝Ｔｇ」となるように前記加熱部および前記加湿部を制御し、
「Ｔ２≦Ｔｇ」の場合は、「Ｔｂ＝Ｔｇ」となるように前記加熱部を制御する浴室暖房乾燥機。
【請求項２】
「Ｈ２＜Ｈ１」である請求項１に記載の浴室暖房乾燥機。
【請求項３】
「Ｈ２＝Ｈ１」である請求項１に記載の浴室暖房乾燥機。
【発明の詳細な説明】
【技術分野】
【０００１】
本発明は、入浴時に浴室内を暖房し、あるいは加湿する機能を備えた浴室暖房乾燥機に関する。
【背景技術】
【０００２】
天井裏等に浴室暖房乾燥機を備えた浴室では、気温が低い場合に浴室内が暖房され、入浴後は浴室内を速やかに乾燥させて、壁面等でのカビの発生を抑制し、あるいは洗濯物を乾燥できるようにした機能を備えたものがある。
【０００３】
浴室暖房乾燥機には、浴室内に温風を供給して暖房及び乾燥を行う温風供給装置やミストサウナ装置、浴室内の空気を浴室外に排出する換気装置等が備えられている。
【０００４】
このような浴室暖房乾燥機は、温度が低い場合には、暖房モードにより浴室内が暖房され、入浴者に快適な入浴環境が提供されるものが知られている（例えば、特許文献１参照）。
【０００５】
以下、その浴室暖房乾燥機の暖房モードでの動作の一例を図１１に従って説明する。
【０００６】
入浴者の入浴に先立って、浴室内に温風が供給されて浴室内の温度Ｔｄｘが上昇する。そして、温度Ｔｄｘがあらかじめ設定されている暖房領域ＡＲ１内の設定値Ｔｄｙまで上昇すると、温風の供給が停止される。
【０００７】
この間に複数の入浴者が入浴を行い、浴室の温度Ｔｄｘが暖房領域ＡＲ２以下となると、後続の入浴者の入浴に先立って、浴室内に再度温風が供給されて温度Ｔｄｘが設定値Ｔｄｙとなるまで暖房される。
【先行技術文献】
【特許文献】
【０００８】
【特許文献１】特開２０１４−１８８０２３号公報
【発明の概要】
【発明が解決しようとする課題】
【０００９】
上記のような浴室暖房乾燥機では、暖房モードにおいて浴室を暖房する際、あらかじめ設定された設定値Ｔｄｙとなるまで暖房されるため、脱衣室と浴室の温度差が大きい場合には、暖房された浴室内の温度Ｔｄｘが入浴者にとって不快となることがある。
【００１０】
本発明は、上記課題を解決するためになされたものであって、その目的は、入浴者に対し、快適な入浴を提供し得る浴室暖房乾燥機を提供することにある。
【課題を解決するための手段】
【００１１】
上記課題を解決するために、本発明の一態様に係る浴室暖房乾燥機は、浴室からの空気を吸い込む吸込口と、前記浴室へ空気を吹き出す吹出口と、前記吸込口から吸い込んだ空気を温める加熱部と、前記浴室の空気を循環する循環ファン装置と、前記加熱部で温められた温風を加湿する加湿部と、を有する本体を備えた浴室暖房乾燥機であって、前記浴室内の温度を検知する浴室内温度センサーと、前記浴室内の湿度を検知する浴室内湿度センサーと、脱衣室の温度を検知する脱衣室温度センサーと、前記循環ファン装置、前記加熱部、および前記加湿部を制御する制御部と、を備え、前記脱衣室温度センサーで検知した温度をＴｄ、前記浴室内温度センサーで検知した温度をＴｂ、正の定数である所定値をα、目標温度ＴｇをＴｇ＝Ｔｄ＋α、定数である第１所定温度をＴ１、定数である第２所定温度をＴ２（ただしＴ１＜Ｔ２）、前記浴室内湿度センサーで検知した浴室相対湿度をＨｂ、定数である第１所定湿度をＨ１、定数である第２所定湿度をＨ２とすると、前記制御部は、「Ｔｇ＜Ｔ１」の場合は、「Ｈ１≦Ｈｂ」且つ「Ｔｂ＝Ｔ１」となるように前記加熱部および前記加湿部を制御し、「Ｔ１≦Ｔｇ＜Ｔ２」の場合は、「Ｈ２≦Ｈｂ」且つ「Ｔｂ＝Ｔｇ」となるように前記加熱部および前記加湿部を制御し、「Ｔ２≦Ｔｇ」の場合は、「Ｔｂ＝Ｔｇ」となるように前記加熱部を制御する。
【発明の効果】
【００１２】
本発明の浴室暖房乾燥機によれば、入浴者に対し、快適な入浴を提供することができる。
【図面の簡単な説明】
【００１３】
【図１】浴室暖房乾燥機が設置される浴室を示す斜視図。
【図２】浴室暖房乾燥機を示す断面図。
【図３】操作パネルを示す正面図。
【図４】浴室暖房乾燥機の電気的構成を示すブロック図。
【図５】制御部の動作を示すフローチャート。
【図６】制御部の動作を示すフローチャート。
【図７】制御部の動作を示すフローチャート。
【図８】制御部の動作を示すフローチャート。
【図９】制御部の動作を示すフローチャート。
【図１０】制御部の動作を示すフローチャート。
【図１１】従来例及び本発明の浴室温度の遷移を示す説明図。
【発明を実施するための形態】
【００１４】
以下、本発明の一実施形態である浴室暖房乾燥機を図面に従って説明する。
【００１５】
図１に示すように、浴室暖房乾燥機１は、浴室２の天井面３にフロントパネル４が露出される状態で天井裏に設置される。図２に示すように、フロントパネル４には、浴室２内の空気を吸込む吸込口５と、浴室暖房乾燥機１から浴室２内に空気を吹出す吹出口６が設けられている。吹出口６には、図示しないモータで開閉されるルーバー６ａが設けられている。
【００１６】
浴室暖房乾燥機１の本体ケース７内において、吸込口５の上方には加熱部８が設けられ、浴室２から吸込まれる空気を加熱可能となっている。加熱部８には、後記温水器３７から貯水部１４に温水が供給されて、吸込口５から吸込まれる浴室２内の空気を温める機能を備える。加熱部８と温水器３７との間には、温水の流量を制御する流量制御弁３８が介在されている。流量制御弁３８は例えば熱動弁であり、複数設けられていてもよい。
【００１７】
また、加熱部８には加熱部８の温度を検出するコイル温度センサーが設けられている。
【００１８】
加熱部８の上方には循環ファン装置９が設けられ、循環ファン装置９の作動により、浴室２内の空気が吸込口５から吸込まれて加熱部８で温められる。そして、温められた空気が加湿部１０を経て吹出口６から浴室２内に送風される。
【００１９】
加湿部１０は、破砕モータ１１で回転される遠心破砕円板１２及び揚水管１３と、貯水部１４と、破砕壁１５と、エリミネータ１６を備える。破砕モータ１１により揚水管１３が回転されると、貯水部１４に貯留されている水が吸い上げられる。吸い上げられた水は、揚水管１３とともに回転する遠心破砕円板１２により破砕壁１５に向かって吹き飛ばされ、破砕壁１５に衝突して破砕されることにより、細かな水粒となる。細かな水粒は、循環ファン装置９で送風される空気とともにエリミネータ１６に案内される。エリミネータ１６は、あらかじめ設定された粒子径以下の水粒のみを通す機能を備えている。
【００２０】
従って、加熱部８及び加湿部１０の作動時には、マイクロミストを含む温風が吹出口６から浴室２内に送風される。
【００２１】
本体ケース７の一方の側面には、ダンパー１７で開閉される換気口１８が設けられ、その換気口１８は換気路１９を介して屋外に連通している。換気路１９には換気ファン２０が配設されている。そして、ダンパー１７の作動により換気口１８が開かれた状態で換気ファン２０が作動すると、浴室２から本体ケース７内に吸い込まれた空気が、換気路１９を経て屋外に排出されるようになっている。
【００２２】
本体ケース７内には制御部２１が配設され、図１に示すように、浴室２に隣接する脱衣室２２に設けられるリモコン２３と電気的に接続されている。そして、制御部２１は、リモコン２３から出力される操作信号と、本体ケース７内において吸込口５の上方に設けられている浴室内温度センサー２４や浴室内湿度センサー２５から出力される検出信号と、脱衣室２２のリモコン２３内に設けられる脱衣室温度センサー２６と、あらかじめ設定されているプログラムとに基づいて加熱部８、循環ファン装置９、ダンパー１７及び換気ファン２０等の動作を制御する。
【００２３】
図３に示すように、リモコン２３には例えば表示部２７、停止キー２８、キープモード選択キー２９、設定キー３０ａ，３０ｂ、ミストサウナモード選択キー３１、暖房モード選択キー３２、換気モード選択キー３３、乾燥モード選択キー３４が設けられている。
【００２４】
表示部２７には、制御部２１の制御による浴室暖房乾燥機１の動作状態、各キーの操作状態等が表示される。
【００２５】
停止キー２８は、選択された各モードでの浴室暖房乾燥機１の動作を停止する場合に使用され、キープモード選択キー２９は浴室２内の室温をあらかじめ設定された温度、湿度範囲に維持するキープモードを選択する場合に使用される。
【００２６】
設定キー３０ａ，３０ｂは、各モードで動作する最大時間を設定する場合に使用される。ミストサウナモード選択キー３１は、ミストサウナで運転する場合に使用され、暖房モード選択キー３２は暖房モードで運転する場合に使用される。
【００２７】
換気モード選択キー３３は、換気モードで運転する場合に使用され、乾燥モード選択キー３４は乾燥モードで運転する場合に使用される。
【００２８】
図４は、浴室暖房乾燥機１の電気的構成を示す。
【００２９】
制御部２１には、浴室内温度センサー２４、浴室内湿度センサー２５、脱衣室温度センサー２６、換気ファン２０を駆動する換気ファンモータ３５、破砕モータ１１、循環ファン装置９を駆動する循環ファンモータ３６及び上記コイル温度センサー等が接続される。
【００３０】
また、制御部２１は、加熱部８や温水器３７、流量制御弁３８の動作を制御する。温水器３７は、例えば屋外に設置される。
【００３１】
次に、上記のような浴室暖房乾燥機１で、キープモード（キープ運転モード）を設定した場合の制御部２１による制御動作を説明する。
【００３２】
以下、単に「湿度」というときは相対湿度（％）を指すものとし、相対湿度とは、相対湿度（％）とはその温度における飽和水蒸気量に対するその時の空気中の水蒸気量の比率のことである。
【００３３】
図５及び図６に示すように、キープモードが設定されて運転が開始されると、制御部２１の制御動作により、ルーバー６ａが開放され、キープ運転を行う残時間を設定する（ステップ１）。
【００３４】
残時間は、設定キー３０ａ，３０ｂによりあらかじめ設定されている時間、あるいは設定キー３０ａ，３０ｂにより新たに設定される時間である。
【００３５】
次いで、脱衣室温度センサー２６により脱衣室温度Ｔｄが検出され、浴室内温度センサー２４により浴室温度Ｔｂが検出される（ステップ２）。
【００３６】
次いで、暖房信号をオン状態として温水器３７を作動させるとともに、熱動弁（流量制御弁３８）を開いて加熱部８に温水を供給する。そして、加熱部８の温度を検出し、浴室２内の室温の目標温度Ｔｇを決定する（ステップ３）。
【００３７】
目標温度Ｔｇは、脱衣室温度Ｔｄにあらかじめ設定されている所定値αを加算した温度であり（Ｔｇ＝Ｔｄ＋α）、ここでは所定値αは正の定数であり、例えば８℃〜２０℃望ましくは１０℃に設定されている。従って、目標温度Ｔｇは脱衣室温度Ｔｄより１０℃高い温度に設定される。α値に関しては、各個人のヒートショックを感じない温度に、可変設定できるようにする。
【００３８】
次いで、コイル温度センサーにより加熱部８の温度があらかじめ設定されている循環ファン装置９の回転開始温度以上であるか否かを判定し、その回転開始温度より低い場合には循環ファン装置９を作動させず、加熱部８の温度が回転開始温度以上となるまで待機する（ステップ４）。加熱部８が十分に温められていないと、吹出口６から吹出される空気の温度が低く、入浴者に対し不快となる冷たい風が送風されることになるからである。
【００３９】
ステップ４で、加熱部８の温度が回転開始温度以上となると、循環ファン装置９の作動が開始されて、浴室２内に温風が供給される（ステップ５）。
【００４０】
次いで、目標温度Ｔ（Ｔｄ＋α）があらかじめ設定されている第１所定温度Ｔ１以上であるか否かを判定する（ステップ６）。
【００４１】
第１所定温度Ｔ１は、あらかじめ設定された定数であり、入浴に適した浴室２内の温度であって、例えば２５〜４２℃望ましくは２７℃に設定されている。
【００４２】
ステップ６で、Ｔｇ≧Ｔ１であれば、ステップ８に移行する。また、Ｔｇ≧Ｔ１ではない場合、すなわち第１所定温度Ｔ１が目標温度Ｔｇより高い場合、言い換えれば脱衣室２２の気温である脱衣室温度Ｔｄが低くて、正の定数であるαを加えても目標温度Ｔｇが入浴に適した気温より低くなる場合には、目標温度Ｔｇを第１所定温度Ｔ１として（ステップ７）、ステップ８に移行する。すなわち、脱衣室温度Ｔｄが低い場合でも、浴室２を入浴に適した温度までキープ運転で温めることができるよう第１所定温度Ｔ１を目標温度Ｔｇとする。
【００４３】
ステップ８では、浴室温度Ｔｂが過昇温度以下であるか否かが判定される。過昇温度は、例えば３９〜４８℃望ましくは４２℃に設定され、暖房が不要で且つ入浴に適している温度範囲の最高温度が設定される。
【００４４】
ステップ８で、浴室温度Ｔｂが過昇温度を超えていると、熱動弁が閉じられて加熱部８への温水の供給が停止される（ステップ９）。すなわち暖房運転を一時中断する。
【００４５】
そして、浴室温度Ｔｂが過昇温度からあらかじめ設定された所定値βを引いた温度以下になるまで熱動弁が閉じられ、浴室温度Ｔｂが過昇温度からあらかじめ設定された所定値βを引いた温度以下になると、熱動弁が開かれて加熱部８への温水の供給が再開され（ステップ１０，１１）、ステップ１２に移行する。
【００４６】
所定値βはあらかじめ設定された定数であり、例えば１℃〜５℃望ましくは２℃に設定されている。
【００４７】
また、ステップ８で浴室温度Ｔｂが過昇温度を超えていない場合には、ステップ１２に移行する。
【００４８】
ステップ１２では、Ｔｇ≧Ｔ１（ステップ６でＹＥＳ）且つＴｂ≧Ｔｇ若しくはＴｇ＜Ｔ１（ステップ６でＮＯ）且つＴｂ≧Ｔ１であるか否かを判定する。
【００４９】
そして、Ｔｇ≧Ｔ１且つＴｂ≧Ｔｇ若しくはＴｇ＜Ｔ１且つＴｂ≧Ｔ１となると、熱動弁を閉じて温風の供給を停止する（ステップ１３）。つまり、浴室温度Ｔｂが目標温度Ｔｇ以上若しくは目標温度ＴｇがＴ１の時で浴室温度Ｔｂが第１所定温度Ｔ１以上となると、浴室２の暖房が停止される。
【００５０】
次いで、浴室温度Ｔｂが目標温度Ｔｇから所定値γを引いた温度以下になる、若しくは、目標温度ＴｇがＴ１の時で、浴室温度Ｔｂが第１所定温度Ｔ１から所定値γを引いた温度以下になると、熱動弁が開かれて暖房が再開される（ステップ１５）。
【００５１】
所定値γはあらかじめ設定された定数であり、例えば１℃〜５℃望ましくは２℃に設定されている。
【００５２】
あらかじめ設定されているキープ運転時間でステップ８からステップ１５の動作を繰り返す（ステップ１６）。そして、キープ運転時間が終了すると、キープ運転動作が終了する。
【００５３】
次に、キープ運転時に、加湿部１０から浴室２内にマイクロミストを供給する場合の制御部２１の動作を図７〜図１０を用いて説明する。
【００５４】
図７および図８に示すステップ２１〜ステップ３１の動作は、上記ステップ１〜ステップ１１に対応し、各ステップの動作は同様である。
【００５５】
ステップ３２では、Ｔｇ≧Ｔ１（ステップ６でＹＥＳ）且つＴｇ＜Ｔ２若しくはＴｇ＜Ｔ１（ステップ６でＮＯ）であるか否かを判定する。
【００５６】
第２所定温度Ｔ２は、あらかじめ設定された温度であり、第１所定温度Ｔ１より高い温度、例えば３０℃である。第２所定温度Ｔ２は、マイクロミスト運転による浴室２内の湿度調整が不要な温度である。
【００５７】
そして、Ｔｇ≧Ｔ１且つＴｇ＜Ｔ２若しくはＴｇ＜Ｔ１ではない場合には、ステップ３３に移行して、Ｔｇ≧Ｔ１且つＴｂ≧Ｔｇ若しくはＴｂ≧Ｔ１であるか否かを判定する。
【００５８】
ステップ３３で、Ｔｇ≧Ｔ１且つＴｂ≧Ｔｇ若しくはＴｇ＜Ｔ１且つＴｂ≧Ｔ１であるとき、すなわち浴室温度Ｔｂが目標温度Ｔｇ以上若しくは目標温度ＴｇがＴ１の時で浴室温度Ｔｂが第１所定温度Ｔ１以上の場合には、熱動弁を閉じて暖房を停止する（ステップ３４）。
【００５９】
つまり、「Ｔｇ＜Ｔ１」の場合は、「Ｈ１≦Ｈｂ」且つ「Ｔｂ＝Ｔ１」となるように加熱部８および加湿部１０を制御し、「Ｔ１≦Ｔｇ＜Ｔ２」の場合は、「Ｈ２≦Ｈｂ」且つ「Ｔｂ＝Ｔｇ」となるように加熱部８および加湿部１０を制御し、「Ｔ２≦Ｔｇ」の場合は、「Ｔｂ＝Ｔｇ」となるように加熱部８を制御することとなる。
【００６０】
次いで、浴室温度Ｔｂが、目標温度Ｔｇからあらかじめ設定された所定値δを引いた温度以下になる若しくは第１所定温度Ｔ１からあらかじめ設定された所定値δを引いた温度以下になると、熱動弁が開かれて暖房が再開される（ステップ３５，３６）。
【００６１】
所定値δは例えば１℃〜５℃望ましくは２℃に設定されている。
【００６２】
あらかじめ設定されているキープ運転時間でステップ２２からステップ３６の動作を繰り返す（ステップ３７）。キープ運転時間が終了すると、キープ運転動作が終了する。
【００６３】
ステップ３２において、Ｔｇ≧Ｔ１且つＴｇ＜Ｔ２若しくはＴｇ＜Ｔ１である場合には、ステップ３８に移行して、浴室内湿度センサー２５で検出される浴室相対湿度Ｈｂがあらかじめ設定されている第１所定湿度Ｈ１以上であるか否かを判定する。Ｈｂ≧Ｈ１であれば、ステップ３３に移行する。
【００６４】
ステップ３８で、Ｔｇ＜Ｔ１且つＨｂ≧Ｈ１ではない（浴室相対湿度Ｈｂが第１所定湿度Ｈ１に達していない）場合には、加湿部１０を作動させて、吹出口６から温風とともにマイクロミストを吹出すマイクロミスト運転を開始する（ステップ３９）。若しくはステップ３８で、Ｔ１≦Ｔｇ＜Ｔ２且つＨｂ≧Ｈ２ではない場合であって浴室相対湿度Ｈｂが第２所定湿度Ｈ２に達していない場合には、加湿部１０を作動させて、吹出口６から温風とともにマイクロミストを吹出すマイクロミスト運転を開始する（ステップ３９）。
【００６５】
加湿をする場合にマイクロミストモード運転を実施するのは、水滴径が１ミクロン以下と小さく、入浴の快適性を損なわないので適しているためである。
【００６６】
次いで、Ｔｇ＜Ｔ１且つＨｂ≧Ｈ１若しくはＴ１≦Ｔｇ＜Ｔ２且つＨｂ≧Ｈ２となると、マイクロミスト運転を停止するとともに、暖房運転を開始する（ステップ４０，４１）。
【００６７】
ステップ３８からステップ４０での第１所定湿度Ｈ１は例えば相対湿度４０％〜６５％望ましくは相対湿度６０％に設定されている。
【００６８】
また第１所定湿度Ｈ１と第２所定湿度Ｈ２は同じであってもＨ２＜Ｈ１であってもよい。各々適宜に設定することにより、浴室相対湿度Ｈｂを最適に調整可能とする。また、Ｈ２＜Ｈ１であってもよいのは、目標温度Ｔｇが高い場合にはマイクロミスト運転による湿度調整が小さくてよいからである。
【００６９】
次いで、Ｔｇ≧Ｔ１且つＴｂ≧Ｔｇ若しくはＴｇ＜Ｔ１且つＴｂ≧Ｔ１であるか否かを判定する（ステップ４２）。そして、Ｔｇ≧Ｔ１且つＴｂ≧Ｔｇ若しくはＴｇ＜Ｔ１且つＴｂ≧Ｔ１となると、熱動弁を閉じて温風の供給を停止する（ステップ４３）。つまり、浴室温度Ｔｂが目標温度Ｔｇ以上若しくは目標温度ＴｇがＴ１の時で浴室温度Ｔｂが第１所定温度Ｔ１以上となると、浴室２の暖房が停止される。
【００７０】
次いで、浴室温度Ｔｂが、目標温度Ｔｇからあらかじめ設定された所定値δを引いた温度以下になる若しくは第１所定温度Ｔ１からあらかじめ設定された所定値δを引いた温度以下になると、熱動弁が開かれて暖房が再開され（ステップ４４，４５）、あらかじめ設定されているキープ運転時間でステップ２２からステップ４５の動作を繰り返す（ステップ４６）。キープ運転時間が終了すると、キープ運転動作が終了する。
【００７１】
上記のような浴室暖房乾燥機１では、次に示す効果を得ることができる。
【００７２】
（１）キープモードで運転することにより、浴室温度Ｔｂを脱衣室温度Ｔｄより所定値αだけ高い温度あるいはあらかじめ設定された第１所定温度Ｔ１付近に維持することができる。従って、図１１に示すように、浴室温度Ｔｂを肌寒くない温度領域ＡＲ２に維持することが容易となり、入浴者に快適な入浴環境を提供することができる。
【００７３】
（２）浴室温度Ｔｂを温度領域ＡＲ２に維持することができるとともに、浴室相対湿度Ｈｂを第１所定湿度Ｈ１に基づいて調整することができる。従って、浴室温度Ｔｂ及び浴室相対湿度Ｈｂを調整して、入浴者に快適な入浴環境を提供することができる。
【００７４】
（３）浴室温度Ｔｂが目標温度より低い場合に、浴室相対湿度Ｈｂと第１所定湿度Ｈ１、第２所定湿度Ｈ２との比較によりマイクロミスト運転を実施することで、浴室相対湿度Ｈｂが上がり、入浴者が肌寒さを感じにくいという効果を奏する。
【００７５】
（４）マイクロミスト運転を開始する第１所定湿度Ｈ１と第２所定湿度Ｈ２とを異なる値に設定することにより、浴室相対湿度Ｈｂを適宜に調整することができる。すなわち、浴室温度によって、マイクロミスト運転による湿度調整が必要な程度が変化するということにも対応可能となり、マイクロミスト運転を適切に制御し、過度に加湿部を運転させることを抑制できる。
【００７６】
なお、上記実施形態は、以下のように変更してもよい。
【００７７】
・浴室内温度センサー２４及び浴室内湿度センサー２５は、浴室２内の任意の個所に設置してもよい。例えば天井付近の壁面など。
【００７８】
・脱衣室温度センサー２６は、リモコン２３内以外の任意の個所に設置してもよい。例えばリモコン２３の近傍。
【００７９】
・上記に示した第１所定温度Ｔ１、所定値α等の数値は一例であって、入浴者の好み等に合わせて適宜設定できるものとする。
【００８０】
・所定値α，β，γ，δ、第１所定湿度Ｈ１及び第２所定湿度Ｈ２等は、浴室温度Ｔｂ等に基づいて決定されるようにしてもよい。
【００８１】
・リモコン２３の表示部にキープモード以外の例えば換気モード運転がおこなわれた際に浴室や脱衣室の気流が生まれ温湿度を的確な温湿度を検知する状態の時にあらかじめ設定された温度より低い場合にリモコン２３の表示部２７にキープモード運転をより使用しやすくするために、視覚的に「浴室あたためおすすめ」、「脱衣室あたためおすすめ」などの文字を点灯させてもよい。
【００８２】
・スマホなどを使ってあらかじめ、浴室暖房乾燥機１を遠隔にて操作できるようにし、例えば外出先からキープモード運転をおこなえるようにしてもよい。
【００８３】
以上、本発明に係る浴室暖房乾燥機について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００８４】
本発明の浴室暖房乾燥機は、暖房機能とマイクロミスト運転機能のみ備えたミストサウナ装置等にも適用可能である。
【符号の説明】
【００８５】
１    浴室暖房乾燥機
２    浴室
３    天井面
４    フロントパネル
５    吸込口
６    吹出口
６ａ    ルーバー
７    本体（本体ケース）
８    加熱部
９    循環ファン装置
１０    加湿部
１１    破砕モータ
１２    遠心破砕円板
１３    揚水管
１４    貯水部
１５    破砕壁
１６    エリミネータ
１７    ダンパー
１８    換気口
１９    換気路
２０    換気ファン
２１    制御部
２２    脱衣室
２３    リモコン
２４    浴室内温度センサー
２５    浴室内湿度センサー
２６    脱衣室温度センサー
２７    表示部
３５    換気ファンモータ
３６    循環ファンモータ
３７    温水器
３８    流量制御弁
Ｔｄ    脱衣室温度
Ｔｂ    浴室温度
Ｔｇ    目標温度
α，β，γ，δ    所定値
Ｔ１    第１所定温度
Ｔ２    第２所定温度
Ｈｂ    浴室相対湿度
Ｈ１    第１所定湿度
Ｈ２    第２所定湿度
【図１】
2019138596.tif 000003
【図２】
2019138596.tif 000004
【図３】
2019138596.tif 000005
【図４】
2019138596.tif 000006
【図５】
2019138596.tif 000007
【図６】
2019138596.tif 000008
【図７】
2019138596.tif 000009
【図８】
2019138596.tif 000010
【図９】
2019138596.tif 000011
【図１０】
2019138596.tif 000012
【図１１】
2019138596.tif 000013